(57)【要約】【課題】  粘着層または両面テープを使用しないグリップ部材の取付け方法と、該取付け方法に合わせて構成されているグリップ部材とを提供する。【解決手段】  グリップ部材をシャフトのグリップ接続部に取付ける方法であって、挿入空間を形成している円周壁を有するグリップ部材を用意する工程と、前記挿入空間に気体を注入して前記円周壁を膨張させる工程と、前記グリップ接続部を前記膨張した円周壁内に移動させる工程と、前記膨張した円周壁を収縮させて前記グリップ接続部を挟持する工程とを具備したグリップ部材の取付け方法、及びそれに合わせて構成されているグリップ部材を提供する。【選択図】図１
2010057916.tif 000002
【特許請求の範囲】
【請求項１】
グリップ部材をシャフトのグリップ接続部に取付ける方法であって、
前記グリップ接続部を収納する挿入空間を形成し、通常は、その内のり寸法が前記グリップ接続部の外のり寸法より小さく、且つ弾性変形できる円周壁を有するグリップ部材を用意する工程と、
前記挿入空間に気体を注入して、前記円周壁の内のり寸法が前記シャフトのグリップ接続部の外のり寸法より大きくなるように該円周壁を膨張させる工程と、
前記グリップ接続部を前記膨張した円周壁内の所定位置まで移動させる工程と、
前記膨張した円周壁を収縮させて前記グリップ接続部を挟持する工程と
を具備していることを特徴とするグリップ部材の取付け方法。
【請求項２】
前記グリップ接続部を前記挿入空間に移動させる工程を行う前に、潤滑物質を前記グリップ接続部の外表面につけることを特徴とする請求項１に記載のグリップ部材の取付け方法。
【請求項３】
前記潤滑物質を気化して前記挿入空間内から排出することで、前記グリップ接続部を乾燥することを特徴とする請求項２に記載のグリップ部材の取付け方法。
【請求項４】
前記気体の注入工程を行う時、前記グリップ接続部の一端で前記円周壁の一端を塞ぐことを特徴とする請求項１〜３のいずれかの一項に記載のグリップ部材の取付け方法。
【請求項５】
前記膨張した円周壁を収縮させる工程は、挿入空間内の気体を漏らすことにより行うことを特徴とする請求項１〜４のいずれかの一項に記載のグリップ部材の取付け方法。
【請求項６】
前記円周壁の一端は、通孔付き蓋で塞がれており、また、前記気体の注入を前記通孔付き蓋の通孔を通して行うことを特徴とする請求項１に記載のグリップ部材の取付け方法。
【請求項７】
前記通孔付き蓋は、該蓋の内側の面から前記挿入空間内に延伸してなった管状突起を有し、前記管状突起には前記通孔と前記挿入空間とを連通させる連通孔が形成されており、前記グリップ接続部を前記挿入空間内の所定位置まで移動させた時、前記管状突起が前記シャフトに内嵌することを特徴とする請求項６に記載のグリップ部材の取付け方法。
【請求項８】
前記潤滑物質として、常温で気化できる液体を使用することを特徴とする請求項２又は３に記載のグリップ部材の取付け方法。
【請求項９】
前記潤滑物質として、水及びエタノールから選ばれた液体を使用することを特徴とする請求項８に記載のグリップ部材の取付け方法。
【請求項１０】
前記挿入空間と連通する複数のピンホールを前記円周壁に設け、前記潤滑物質としての液体が気化してから排出することを特徴とする請求項８又は９に記載のグリップ部材の取付け方法。
【請求項１１】
管状であるシャフトのグリップ接続部に取付けるグリップ部材であって、
軸方向に延伸して挿入空間を形成している上、その内のり寸法が前記シャフトのグリップ接続部の外のり寸法より小さい円周壁と、
前記円周壁の一端を塞き、且つ前記挿入空間と連通している上、それを通して気体を前記挿入空間に注入することができる通孔が形成されている通孔付き蓋と、
前記通孔付き蓋の内側の面から前記挿入空間内に前記軸方向に延伸している上、前記通孔と前記挿入空間とを連通させる連通孔を有し、且つ前記円周壁と離間して、該円周壁との間に前記グリップ接続部を収納する環状の隙間が形成されているように配置構成されている管状突起と、を備えており、
前記円周壁、前記通孔付き蓋、及び前記管状突起はいずれも弾性材料からなっていて、前記円周壁は気体を前記挿入空間に注入することにより膨張させることができるように構成されていることを特徴とするグリップ部材。
【請求項１２】
前記管状突起は、その外のり寸法が前記グリップ接続部の内のり寸法より大きいことを特徴とする請求項１１に記載のグリップ部材。
【請求項１３】
前記管状突起は、その前記通孔付き蓋と離れる自由端がテーパー状であることを特徴とする請求項１２に記載のグリップ部材。
【請求項１４】
前記管状突起の長さは、前記円周壁の長さの１／１０〜１／２の範囲にあることを特徴とする請求項１１〜１３のいずれか一項に記載のグリップ部材。
【請求項１５】
前記円周壁及び前記通孔付き蓋は、ゴムからなり、また、前記管状突起は、ポリウレタンからなっていることを特徴とする請求項１１〜１４のいずれか一項に記載のグリップ部材。
【請求項１６】
前記円周壁には、前記軸方向に向かって前記円周壁の内外表面を半径方向に貫通する複数のピンホールが設けられ、前記半径方向の同一平面にある前記複数のピンホールは互いに放射状に離間していることを特徴とする請求項１１〜１５のいずれか一項に記載のグリップ部材。
【請求項１７】
シャフトのグリップ接続部に取付けるグリップ部材であって、
軸方向に延伸して挿入空間を形成している上、その内のり寸法が前記シャフトのグリップ接続部の外のり寸法より小さい円周壁と、
前記円周壁の一端を塞き、且つ前記挿入空間と連通している上、それを通して気体を前記挿入空間に注入することができる通孔が形成されている通孔付き蓋と、を備えており、
前記円周壁には、前記軸方向に向かって前記円周壁の内外表面を半径方向に貫通する複数のピンホールが設けられ、前記半径方向の同一平面にある前記複数のピンホールは互いに放射状に離間しており、
また、前記円周壁及び前記通孔付き蓋は弾性材料からなっていて、前記円周壁は気体を前記挿入空間に注入することにより膨張させることができるように構成されていることを特徴とするグリップ部材。
【発明の詳細な説明】
【技術分野】
【０００１】
本発明は、各種グリップ付き物品におけるグリップ部材の取付け方法及びそのグリップ部材に関する。
【背景技術】
【０００２】
グリップ付き物品とは、グリップ部材がついていて、該グリップ部材を持って使用することができるものを指し、この発明にかかるグリップ付き物品は、物品の本体とグリップ部材との間にシャフトが介在していることにより物品の本体の使用上の効果が上がるもの、例えば鎌や、やすり、包丁、杓子、ゴルフクラブなどが挙げられる。以下、ゴルフクラブだけを例として説明する。
【０００３】
従来、グリップ部材をシャフトに取付ける方法としては、まず、グリップ部材の中空部に水分と界面活性剤とを含んだ泡状体を充満させ（泡状体充満工程）、そして、シャフトの挿入端表面に水溶性粘着層を敷設して（水溶性粘着層敷設工程）からグリップ部材に挿入し（グリップ部材挿入工程）、その後、グリップ部材の中にある泡状体に含まれている水分により、シャフトの表面にある水溶性粘着層を粘液状にしてから乾燥させ（乾燥工程）、グリップ部材とシャフトとを接着する方法が開示されている（特許文献１参照）。
【先行技術文献】
【特許文献】
【０００４】
【特許文献１】特開２００８−１０４７１０号公報
【発明の概要】
【発明が解決しようとする課題】
【０００５】
しかしながら、前記取付け方法における水溶性粘着層敷設工程は、水溶性粘着層がある両面テープをクラブシャフトに巻き付ける方法が採られているので、その巻付け過程も、粘着層を使用すること自体も製造コストが上がる原因となり、産業上の利用においてあまり理想的であるとは言えない。
【０００６】
前記問題点を解消するために、本発明は、粘着層または両面テープを使用しないグリップ部材の取付け方法とそのグリップ部材の提供を目的とする。
【課題を解決するための手段】
【０００７】
前記目的を達成するため、本発明は、グリップ部材をシャフトのグリップ接続部に取付ける方法であって、前記グリップ接続部を収納する挿入空間を形成し、通常はその内のり寸法が前記グリップ接続部の外のり寸法より小さく、且つ弾性変形できる円周壁を有するグリップ部材を用意する工程と、前記挿入空間に気体を注入して、前記円周壁の内のり寸法が前記シャフトのグリップ接続部の外のり寸法より大きくなるように該円周壁を膨張させる工程と、前記グリップ接続部を前記膨張した円周壁内の所定位置まで移動させる工程と、前記膨張した円周壁を収縮させて前記グリップ接続部を挟持する工程とを具備したグリップ部材の取付け方法を提供する。
【０００８】
また、管状であるシャフトのグリップ接続部に取付けるグリップ部材であって、軸方向に延伸して挿入空間を形成している上、その内のり寸法が前記シャフトのグリップ接続部の外のり寸法より小さい円周壁と、前記円周壁の一端を塞き、且つ前記挿入空間と連通している上、それを通して気体を前記挿入空間に注入することができる通孔が形成されている通孔付き蓋と、前記通孔付き蓋の内側の面から前記挿入空間内に前記軸方向に延伸している上、前記通孔と前記挿入空間とを連通させる連通孔を有し、且つ前記円周壁と離間して、該円周壁との間に前記グリップ接続部を収納する環状の隙間が形成されているように配置構成されている管状突起とを備えており、前記円周壁、前記通孔付き蓋、及び前記管状突起はいずれも弾性材料からなっていて、前記円周壁は気体を前記挿入空間に注入することにより膨張させることができるように構成されているグリップ部材をも提供する。
【０００９】
そしてまた、シャフトのグリップ接続部に取付けるグリップ部材であって、軸方向に延伸して挿入空間を形成している上、その内のり寸法が前記シャフトのグリップ接続部の外のり寸法より小さい円周壁と、前記円周壁の一端を塞き、且つ前記挿入空間と連通している上、それを通して気体を前記挿入空間に注入することができる通孔が形成されている通孔付き蓋とを備えており、前記円周壁には、前記軸方向に向かって前記円周壁の内外表面を半径方向に貫通する複数のピンホールが設けられ、前記半径方向の同一平面にある前記複数のピンホールは互いに放射状に離間しており、また、前記円周壁及び前記通孔付き蓋は弾性材料からなっていて、前記円周壁は気体を前記挿入空間に注入することにより膨張させることができるように構成されているグリップ部材をも提供する。
【００１０】
そしてまた、シャフトのグリップ接続部に取付けるグリップ部材であって、軸方向に延伸して挿入空間を形成している上、その内のり寸法が前記シャフトのグリップ接続部の外のり寸法より小さい円周壁と、前記円周壁の一端を塞き、且つ前記挿入空間と連通している上、それを通して気体を前記挿入空間に注入することができる通孔が形成されている通孔付き蓋とを備えており、前記円周壁には、前記軸方向に向かって前記円周壁の内外表面を半径方向に貫通する複数のピンホールが設けられ、前記半径方向の同一平面にある前記複数のピンホールは互いに放射状に離間しており、また、前記円周壁及び前記通孔付き蓋は弾性材料からなっていて、前記円周壁は気体を前記挿入空間に注入することにより膨張させることができるように構成されているグリップ部材をも提供する。
【００１１】
前記グリップ付き物品は、鎌、やすりなどの作業用工具、包丁、杓子などの台所用道具、及び、ゴルフクラブなどの運動用器具が挙げられる。
【発明の効果】
【００１２】
前記グリップ部材及び取付け方法に関わる発明によると、シャフトのグリップ接続部を、気体により膨張したグリップ部材の挿入空間内部に移動させ、そして、膨張した円周壁を収縮させてグリップ接続部を挟持することができるので、粘着層または両面テープを使用しなくても、グリップ部材をシャフトにしっかりと取付けることができ、取付け過程が非常に簡単であるため、産業上の利用価値がかなり高い。
【図面の簡単な説明】
【００１３】
【図１】本発明の第１の実施形態である、グリップ付き物品におけるグリップ部材をシャフトへ取付ける方法を実施するフローチャートである。
【図２】本発明における第１の実施形態グリップ部材とシャフトとを示す図である。
【図３】図２に示した、前記第１の実施形態に用意されたグリップ部材とシャフトとの断面図である。
【図４】ゴルフクラブシャフトのグリップ接続部がグリップ部材の一端を塞ぐことを示す図である。
【図５】グリップ部材の円周壁を気体の注入工程で膨張させることを示す図である。
【図６】グリップ接続部が円周壁と管状突起との間に挟持された状態第１の実施形態を示す図である。
【図７】潤滑物質の薄膜層が円周壁とグリップ接続部との間に形成されていることを示す部分拡大図である。
【図８】潤滑物質が気化された後、グリップ接続部が円周壁と管状突起との間に挟持された状態の横断面を示す図である。
【図９】本発明の第２の実施形態に用意された、グリップ部材の断面を示す図である。
【図１０】本発明の第３の実施形態に用意された、グリップ部材の断面を示す図である。
【図１１】図１０のグリップ部材の横断面を示す図。
【発明を実施するための形態】
【００１４】
以下は、ゴルフクラブを本発明のグリップ付き物品を例として挙げる。即ち、下記グリップ部材とは、ゴルフクラブにおけるグリップ部材を言い、グリップ部材から延伸するシャフトとは、クラブシャフトを言う。
【００１５】
〔第１の実施形態〕
まず、図１におけるフローチャートをみてみると、本発明の第１の実施形態における、グリップ部材をシャフトのグリップ接続部に取付ける方法は、グリップ部材及びシャフトの用意工程（Ａ）と、潤滑物質のつけ工程（Ｂ）と、気体の注入工程（Ｃ）と、シャフトの移動工程（Ｄ）と、グリップ部材の収縮工程（Ｅ）と、潤滑物質の気化工程（Ｆ）とを具備している。
【００１６】
次に、それぞれの工程を説明する。
【００１７】
（Ａ）グリップ部材及びシャフトの用意工程
この工程（Ａ）は、シャフト２及びグリップ部材４を用意する工程であるが、ゴルフクラブを製造する例であるので、ゴルフクラブヘッド３も共に用意する（図２参照）。
【００１８】
図３に示したように、シャフト２は、両端２０、２１がある管状体（従来のゴルフクラブシャフトの形）であり、グリップ接続部２２に隣接する一端２０は内嵌開口２２０となり、グリップ接続部２２と反対する他端２１は、ゴルフクラブヘッド３と接続する。
【００１９】
グリップ部材４は、通孔付き蓋４１と、円周壁４２と、管状突起４３とからなっている。円周壁４２は、軸方向に延伸して挿入空間４０１を形成している。円周壁４２の内のり寸法Ｓ１  （本実施例は、内径を指す）は通常、グリップ接続部２２の外のり寸法Ｒ１  （本実施例は、外径を指す）より小さい。また円周壁４２は両端４２２、４２３があり、一端４２２は挿入空間４０１の入口としての開口４２１を形成し、他端４２３は通孔付き蓋４１で塞がれている。円周壁４２の厚みは、開口４２１のある一端４２２から通孔付き蓋４１に隣接する他端４２３へ段々厚くなっている。通孔付き蓋４１の通孔４０２は挿入空間４０１と連通し、それを通して気体を挿入空間４０１に注入することができる。
【００２０】
管状突起４３は通孔付き蓋４１の内側の面から挿入空間４０１内に円周壁４２と同軸延伸し、そして挿入空間４０１と通孔４０２とを連通させる連通孔４３０を有する。また、管状突起４３は円周壁４２と離間しており、該円周壁４２との間にグリップ接続部２２を収納する環状の隙間４０３が形成されている。
【００２１】
管状突起４３の外のり寸法Ｌ２  （本実施例は、外径を指す）はグリップ接続部２２の内のり寸法Ｒ２  （本実施例は、内径を指す）より大きい。また、管状突起４３は通孔付き蓋４１と離れる自由端４３１と通孔付き蓋４１と接続する接続端４３２とを有する。管状突起４３の自由端４３１はテーパー状であり、その外のり寸法Ｌ１  （本実施例は、外径を指す）がグリップ接続部２２の内のり寸法Ｒ２  より小さい。管状突起４３は弾性変形可能で、内嵌開口２２０を経由してグリップ接続部２２に内嵌することができる。
【００２２】
管状突起４３の長さは円周壁４２の長さの１／１０〜１／２の範囲にあることが好ましい。本実施例における管状突起の長さは円周壁４２の長さの１／２である。
【００２３】
通孔付き蓋４１、円周壁４２、及び、管状突起４３は、いずれも弾性材からなっている。また円周壁４２は気体が挿入空間４０１に注入することにより膨張させることができるように構成されている。本実施例における通孔付き蓋４１及び円周壁４２は、ゴムからなっている。また、本実施例において、管状突起４３はポリウレタンからなっているが、通孔付き蓋４１及び円周壁４２より変形し易ければ、他の材料（例えば、熱可塑性ポリウレタン）からなっても良い。
【００２４】
また、この実施例において、円周壁４２の内壁面を滑らかなるように加工した上、シャフト２におけるグリップ接続部２２の表面をも電気メッキで滑らかなるようにした。
【００２５】
（Ｂ）潤滑物質のつけ工程
この工程（Ｂ）は、グリップ接続部２２を挿入空間４０１に移動させる前に、潤滑物質６をグリップ接続部２２の外表面につけて行う。（図４参照）。本実施例では、潤滑物質６として、水を使ったが、エタノールなどの他の常温で気化できる液体を使用しても良い。
【００２６】
（Ｃ）気体の注入工程
図４に示したようにこの工程（Ｃ）において、円周壁４２の一端４２２にある開口４２１が拡大され、グリップ接続部２２が開口４２１を塞ぐ。この工程（Ｃ）はシャフト２のグリップ接続部２２と反対する他端２１が塞がれていることを確認してから行う。本実施例では、シャフト２の他端２１は図示のようにゴルフクラブヘッド３と接続することにより塞いだが、他の詰め物(図にせず)を用いて塞いでも良い。
【００２７】
その後、通孔付き蓋４１の通孔４０２を通してグリップ部材４の挿入空間４０１内に気体を注入することで円周壁４２を膨張させる。それにより、図５に示したように円周壁４２の内のり寸法Ｓ１  （図３参照）はグリップ接続部２２の外のり寸法Ｒ１  （図３参照）より大きくなる。
【００２８】
本実施例におけるこの工程（Ｃ）は、注入気体として高圧空気を使用し、注入した気体は当然シャフト２の内部にも入るが、シャフト２の反対端２１にゴルフクラブヘッド３が取り付けられたので、気体漏れの虞がない。
【００２９】
（Ｄ）シャフトの移動工程
この工程（Ｄ）は、グリップ接続部２２を膨張した円周壁４２内の所定位置まで移動させる工程である。このシャフトの移動は、例えば、シャフト２及びグリップ部材４のうちの一つを他の一つに押圧することにより行う。
【００３０】
図６に示したようにこの実施例における前記「所定位置」は、シャフト２のグリップ接続部２２が通孔付き蓋４１の内側の面まで至り、管状突起４３が完全にグリップ接続部２２に内嵌させる位置である。つまり、この位置ではグリップ接続部２２が円周壁４２と管状突起４３との間にある環状の隙間４０３に収納されている。
【００３１】
また、管状突起４３におけるテーパー状の自由端４３１はその外のり寸法Ｌ１  （図３参照）がグリップ接続部２２の内のり寸法Ｒ２  （図３参照）より小さいので、シャフト２を挿入空間４０１に移動させることにより簡単にグリップ接続部２２の内部に挿入できる。そして、管状突起４３はその外のり寸法Ｌ２  （図３参照）がグリップ接続部２２の内のり寸法Ｒ２  より若干大きいが、押圧により弾性変形させればグリップ接続部２２に内嵌させることができる。そのため、管状突起４３は、グリップ接続部２２を移動させる際の抵抗が小さくなるように、ある程度の弾性を持つものを使用すべきである。
【００３２】
そしたまた、円周壁４２は気体の圧力により膨張させることができ、必要な厚みを持つことで弾性効果を有するものを使用すべきである。つまり、円周壁４２は所定の弾性を持って膨張でき、また、元の形に戻ろうとすることができる。本実施例では管状突起４３は円周壁４２より優れた弾性を持っている。
【００３３】
（Ｅ）グリップ部材の収縮工程
この工程（Ｅ）は膨張した円周壁４２を収縮させてグリップ接続部２２を挟持する工程である。グリップ接続部２２が挿入空間４０１に入っている時に気体の注入を止め、通孔付き蓋４１の通孔４０２を開いた状態にする。また、図７に示したように、グリップ部材４がシャフト２を中心として回転できるように潤滑物質６の薄膜層が円周壁４２とグリップ接続部２２との間に形成されている。この時、円周壁４２は矢印で示すように内部へ収縮し、管状突起４３は矢印で示すように元に戻るように膨張する。そのため、グリップ接続部２２が円周壁４２と管状突起４３との間に挟持される。
【００３４】
（Ｆ）潤滑物質の気化工程
この工程（Ｆ）は潤滑物質６が気化して挿入空間４０１内から排出することでグリップ接続部２２を乾燥させる工程である。
【００３５】
潤滑物質６の気化はゴルフクラブ全体を室温(常温)で潤滑物質６が自然に完全に気化するまで放置して乾燥を待っても良いく、加熱で乾燥を速めても良い。
【００３６】
また、円周壁４２の内表面及びグリップ接続部２２の外表面は滑らかで、潤滑物質６が完全に自然に気化した後、円周壁４２とグリップ接続部２２との間に隙間がなく、それにグリップ接続部２２の外のり寸法Ｒ１  （図３参照）が円周壁４２の挿入前の内のり寸法Ｓ１  （図３参照）より大きいため、グリップ部材４はしっかりとグリップ接続部２２を挟持することができる。従って、粘着層または両面テープを使用しなくてもグリップ部材４はしっかりとグリップ接続部２２に取付けられることができる。
【００３７】
〔第２の実施形態〕
次に第２の実施形態を説明する。
【００３８】
この第２の実施形態のグリップ部材をシャフトのグリップ接続部に取付ける方法も、ゴルフクラブを例とした。グリップ部材及びシャフトの用意工程（Ａ）では、グリップ部材４における管状突起４３の長さを円周壁４２の長さの１／１０とした（図９参照）。
【００３９】
本実施例では、グリップ部材４における管状突起４３の長さを第１の実施形態のそれより短くしたので、グリップ部材４における通孔付き蓋４１、円周壁４２、及び管状突起４３が一体成型されやすい。もちろん、通孔付き蓋４１、円周壁４２、及び管状突起４３は、初めから一体成型することに限らず、例えば、グリップ部材４の見栄えを良くさせようとする場合、通孔付き蓋４１及び円周壁４２をそれぞれ違う色を有する材料で形成し、別々に成型してから一体形成しても良い。
【００４０】
〔第３の実施形態〕
次に第３の実施形態を説明する。
【００４１】
この第３の実施形態のグリップ部材をシャフトのグリップ接続部に取付ける方法も、ゴルフクラブを例とした。グリップ部材及びシャフトの用意工程（Ａ）で用意されたグリップ部材４の円周壁４２には、軸方向に向かって円周壁４２の内外表面を半径方向に貫通する複数のピンホール４２４が設けられ、また半径方向の同一平面にある複数のピンホール４２４は互いに放射状に離間している。前記気体の注入工程（Ｃ）を行う際、該複数のピンホール４２４による気体漏れによって、円周壁４２の挿入空間４０１への気体注入による過剰な膨張を緩和させる上、潤滑物質６としての液体を容易に排出させることができる（図１０及び図１１参照）。
【産業上の利用可能性】
【００４２】
上述したように本発明のグリップ付き物品におけるグリップ部材の取付け方法及びそのグリップ部材によると、シャフトのグリップ接続部を気体により膨張したグリップ部材の挿入空間内部に移動させ、気体を漏らして膨張した円周壁を収縮させるによりグリップ部材をしっかりとシャフトに取付けるので、粘着層を使用することなく、また、両面テープを巻きつける手間がなく、産業上の利用価値が高い。
【符号の説明】
【００４３】
２…シャフト、２０、２１…グリップ接続部の両端、２２…グリップ接続部、２２０…内嵌開口、４…グリップ部材、４０１…挿入空間、４０２…通孔、４０３…環状の隙間、４１…通孔付き蓋、４２…円周壁、４２１…開口、４２２、４２３…円周壁の両端、４２４…ピンホール、４３…管状突起、４３０…連通孔、４３１、４３２…管状突起の両端、６…潤滑物質。
【図１】
2010057916.tif 000003
【図２】
2010057916.tif 000004
【図３】
2010057916.tif 000005
【図４】
2010057916.tif 000006
【図５】
2010057916.tif 000007
【図６】
2010057916.tif 000008
【図７】
2010057916.tif 000009
【図８】
2010057916.tif 000010
【図９】
2010057916.tif 000011
【図１０】
2010057916.tif 000012
【図１１】
2010057916.tif 000013